(57)【特許請求の範囲】
【請求項１】
基地局との間で無線による通信を行なう無線通信端末であって、
受信信号をデジタル信号に変換するＡ／Ｄ変換手段と、
前記Ａ／Ｄ変換手段からのデジタル信号に含まれる干渉信号を除去して自端末宛の信号を抽出するためのルートロールオフフィルタと、
該ルートロールオフフィルタに入力される信号と、上記ルートロールオフフィルタから出力される信号とに基いて所定の係数を計算する係数計算部と、
上記ルートロールオフフィルタから出力される信号に、上記係数計算部で計算した係数を乗算して得られるデジタル信号を後段のデジタル信号処理回路に出力する係数乗算部と
を具備し、
上記係数計算部は、上記ルートロールオフフィルタに入力される信号の平均電力を、上記ルートロールオフフィルタから出力される信号の平均電力で除算した値の平方根をとることにより、上記所定の係数を計算することを特徴とする無線通信端末。
【請求項２】
上記係数計算部は、求めるべき係数の値を調整するための調整量設定手段
を有することを特徴とする請求項１記載の無線通信端末。
【請求項３】
上記ルートロールオフフィルタは、上記係数計算部に入力される信号のビット数よりも大きいビット数の信号を上記係数乗算部に入力する
ことを特徴とする請求項１記載の無線通信端末。
【請求項４】
第１の周波数による通話時に所定の時間間隔を生成する時間間隔生成手段と、
該時間間隔生成手段により生成された時間間隔内で上記第１の周波数とは異なる第２の周波数をサーチするサーチ手段と、
上記第１の周波数から上記第２の周波数への切り替え時に上記係数計算部で求めた係数を保存する保存手段と、
上記第２の周波数による通話の後に当該第２の周波数から上記第１の周波数に切り替えるときに、上記保存した係数を復帰させる復帰手段と
を有することを特徴とする請求項１記載の無線通信端末。
【請求項５】
上記第１の周波数から上記第２の周波数に切り替えた後、前回の第２の周波数のサーチで保存した係数を復帰させ、該係数を初期値として第２の周波数のサーチのための係数を計算し、上記第１の周波数への切り替えに先立って当該計算した係数を保存する
ことを特徴とする請求項４記載の無線通信端末。
【請求項６】
基地局との間で無線による通信を行なう無線通信端末の制御回路であって、
受信信号をデジタル信号に変換するＡ／Ｄ変換手段と、
前記Ａ／Ｄ変換手段からのデジタル信号に含まれる干渉信号を除去して自端末宛の信号を抽出するためのルートロールオフフィルタと、
該ルートロールオフフィルタに入力される信号と、上記ルートロールオフフィルタから出力される信号とに基いて所定の係数を計算する係数計算部と、
上記ルートロールオフフィルタから出力される信号に、上記係数計算部で計算した係数を乗算して得られるデジタル信号を後段のデジタル信号処理回路に出力する係数乗算部と
を具備し、
上記係数計算部は、上記ルートロールオフフィルタに入力される信号の平均電力を、上記ルートロールオフフィルタから出力される信号の平均電力で除算した値の平方根をとることにより、上記所定の係数を計算することを特徴とする無線通信端末の制御回路。
【請求項７】
上記係数計算部は、求めるべき係数の値を調整するための調整量設定手段を有する
ことを特徴とする請求項６記載の制御回路。
【請求項８】
上記ルートロールオフフィルタは、上記係数計算部に入力される信号のビット数よりも大きいビット数の信号を上記係数乗算部に入力する
ことを特徴とする請求項６記載の制御回路。
【請求項９】
第１の周波数による通話時に所定の時間間隔を生成する時間間隔生成手段と、
該時間間隔生成手段により生成された時間間隔内で上記第１の周波数とは異なる第２の周波数をサーチするサーチ手段と、
上記第１の周波数から上記第２の周波数への切り替え時に上記係数計算部で求めた係数を保存する保存手段と、
上記第２の周波数による通話の後に当該第２の周波数から上記第１の周波数に切り替えるときに、上記保存した係数を復帰させる復帰手段と
を有することを特徴とする請求項６記載の制御回路。
【請求項１０】
上記第１の周波数から上記第２の周波数に切り替えた後、前回の第２の周波数のサーチで保存した係数を復帰させ、該係数を初期値として第２の周波数のサーチのための係数を計算し、上記第１の周波数への切り替えに先立って当該計算した係数を保存する
ことを特徴とする請求項９記載の制御回路。
【発明の詳細な説明】
【０００１】
【発明の属する技術分野】
本発明は無線通信端末及びその制御回路に関するものである。
【０００２】
【従来の技術】
スペクトラム拡散通信方式により基地局と、移動局としての携帯端末との間で無線通信を行うことが行なわれている。
【０００３】
【発明が解決しようとする課題】
しかしながら、携帯端末が通話している基地局の信号にはその隣接チャネルに大きな干渉信号が存在し、その影響でＲＲＯＦ（ルートコサインロールオフ）フィルタに入力される受信信号と、当該ＲＲＯＦフィルタにより処理されて出力される信号とを比較した場合、フィルタ処理後の信号が小さくなり、その有効ビット数が小さくなってしまうことがある。この場合、フィルタ処理後の信号はＲＡＫＥ受信機に入力されるときの受信性能に大きな影響を与えてしまう。
【０００４】
また、隣接チャネルの干渉信号は、ある周波数での通話中に異なる周波数をサーチするコンプレスドモード(Compressed Mode)においても影響を及ぼすが、従来、このような影響については何ら考慮がされていなかったので、コンプレスドモードでの信号サーチの性能が劣化するという問題があった。
【０００５】
本発明は、このような課題に着目してなされたものであり、その目的とするところは、隣接チャネル信号が存在する場合に、ＲＡＫＥ受信機への有効ビット落ちの影響を軽減することができる無線通信端末及びその制御回路を提供することにある。
【０００６】
また、本発明の他の目的は、異なる周波数で信号をサーチするコンプレスドモードにおいて隣接チャネル信号が存在する場合に、サーチ性能の劣化を軽減することができる無線通信端末及びその制御回路を提供することにある。
【０００７】
【課題を解決するための手段】
上記の目的を達成するために、第１の発明に係る無線通信端末は、基地局との間で無線による通信を行なう無線通信端末であって、受信信号をデジタル信号に変換するＡ／Ｄ変換手段と、前記Ａ／Ｄ変換手段からのデジタル信号に含まれる干渉信号を除去して自端末宛の信号を抽出するためのルートロールオフフィルタと、該ルートロールオフフィルタに入力される信号と、上記ルートロールオフフィルタから出力される信号とに基いて所定の係数を計算する係数計算部と、上記ルートロールオフフィルタから出力される信号に、上記係数計算部で計算した係数を乗算して得られるデジタル信号を後段のデジタル信号処理回路に出力する係数乗算部とを具備し、上記係数計算部は、上記ルートロールオフフィルタに入力される信号の平均電力を、上記ルートロールオフフィルタから出力される信号の平均電力で除算した値の平方根をとることにより、上記所定の係数を計算する。
【０００９】
また、第２の発明は、第１の発明に係る無線通信端末において、上記係数計算部は、求めるべき係数の値を調整するための調整量設定手段を有する。
【００１０】
また、第３の発明は、第１の発明に係る無線通信端末において、上記ルートロールオフフィルタは、上記係数計算部に入力される信号のビット数よりも大きいビット数の信号を上記係数乗算部に入力する。
【００１１】
また、第４の発明は、第１の発明に係る無線通信端末において、第１の周波数による通話時に所定の時間間隔を生成する時間間隔生成手段と、該時間間隔生成手段により生成された時間間隔内で上記第１の周波数とは異なる第２の周波数をサーチするサーチ手段と、上記第１の周波数から上記第２の周波数への切り替え時に上記係数計算部で求めた係数を保存する保存手段と、上記第２の周波数による通話の後に当該第２の周波数から上記第１の周波数に切り替えるときに、上記保存した係数を復帰させる復帰手段とを有する。
【００１２】
また、第５の発明は、第４の発明に係る無線通信端末において、上記第１の周波数から上記第２の周波数に切り替えた後、前回の第２の周波数のサーチで保存した係数を復帰させ、該係数を初期値として第２の周波数のサーチのための係数を計算し、上記第１の周波数への切り替えに先立って当該計算した係数を保存する。
【００１３】
また、第６の発明は、基地局との間で無線による通信を行なう無線通信端末の制御回路であって、受信信号をデジタル信号に変換するＡ／Ｄ変換手段と、前記Ａ／Ｄ変換手段からのデジタル信号に含まれる干渉信号を除去して自端末宛の信号を抽出するためのルートロールオフフィルタと、該ルートロールオフフィルタに入力される信号と、上記ルートロールオフフィルタから出力される信号とに基いて所定の係数を計算する係数計算部と、上記ルートロールオフフィルタから出力される信号に、上記係数計算部で計算した係数を乗算して得られるデジタル信号を後段のデジタル信号処理回路に出力する係数乗算部と
を具備し、上記係数計算部は、上記ルートロールオフフィルタに入力される信号の平均電力を、上記ルートロールオフフィルタから出力される信号の平均電力で除算した値の平方根をとることにより、上記所定の係数を計算する。
【００１５】
また、第７の発明は、第６の発明に係る無線通信端末の制御回路において、上記係数計算部は、求めるべき係数の値を調整するための調整量設定手段を有する。
【００１６】
また、第８の発明は、第６の発明に係る無線通信端末の制御回路において、上記ルートロールオフフィルタは、上記係数計算部に入力される信号のビット数よりも大きいビット数の信号を上記係数乗算部に入力する。
【００１７】
また、第９の発明は、第６の発明に係る無線通信端末の制御回路において、第１の周波数による通話時に所定の時間間隔を生成する時間間隔生成手段と、該時間間隔生成手段により生成された時間間隔内で上記第１の周波数とは異なる第２の周波数をサーチするサーチ手段と、上記第１の周波数から上記第２の周波数への切り替え時に上記係数計算部で求めた係数を保存する保存手段と、上記第２の周波数による通話の後に当該第２の周波数から上記第１の周波数に切り替えるときに、上記保存した係数を復帰させる復帰手段とを有する。
【００１８】
また、第１０の発明は、第９の発明に係る無線通信端末の制御回路において、上記第１の周波数から上記第２の周波数に切り替えた後、前回の第２の周波数のサーチで保存した係数を復帰させ、該係数を初期値として第２の周波数のサーチのための係数を計算し、上記第１の周波数への切り替えに先立って当該計算した係数を保存する。
【００１９】
【発明の実施の形態】
（第１実施形態）
まず、本実施形態の概略を説明する。本実施形態の無線通信端末としての携帯端末は、受信信号に含まれる干渉信号を除去して基地局信号のみを抽出するためのＲＲＯＦフィルタ等のフィルタ手段と、このフィルタ手段に入力される信号と、上記フィルタ手段から出力される信号とに基いて所定の係数を計算する係数計算部と、上記フィルタ手段から出力される信号に、上記係数計算部で計算した係数を乗算して出力する係数乗算部とを具備することにより、隣接チャネル信号の影響によるＲＡＫＥ受信機への有効ビット落ちを軽減するものである。
【００２０】
また、本実施形態は、第１の周波数での基地局との通話中に、この第１の周波数とは異なる第２の周波数で信号サーチを行うコンプレスドモードに適用可能である。すなわち、周波数の切り替えに先立って切り替え前の周波数の係数を保存するとともに、切り替え時の周波数を以前のサーチの段階で求めて保存した係数を復帰させて使用することにより、サーチ性能の劣化を押さえることができる。
【００２１】
以下、本発明の第１実施形態を従来の構成と比較して説明する。図３は、隣接チャネルの影響を軽減するための構成を有していない従来の携帯端末の概略構成を示す図である。図３において、１１はアンテナ、１２はＲＦ部、１３−１，１３−２はＡＤＣ（アナログデジタルコンバータ）、１４−１，１４−２はＲＲＯＦ（ルートコサインロールオフ）フィルタ、１５−１，１５−ｎはフィンガ受信器１〜ｎ、１６はＲＡＫＥ合成部、１７はサーチャ、１８は受信ＡＧＣ制御部である。
【００２２】
以下に図２（Ａ）〜図２（Ｃ）を用いて隣接チャネルの影響について説明する。
【００２３】
図２（Ａ）は携帯端末が通話している基地局信号の５ＭＨｚ隣に大きな干渉信号が存在する例を示している。ＲＦ部１２のＲＦフィルタにより処理された受信信号には、図２（Ａ）のように隣接チャネルの干渉分がカットされてＩ成分だけの残留成分が含まれている。これをデジタルフィルタで実現されているＲＲＯＦ（ルートロールオフ）フィルタ１４−１でカットするとＤ成分が自基地局の信号となる。
【００２４】
図２（Ｂ），（Ｃ）は、ＲＲＯＦフィルタ１４−１の前後でモニタされた信号波形を示している。すなわち、図３のモニタポイント１におけるモニタ信号が図２（Ｂ）であり、図３のモニタポイント２におけるモニタ信号が図２（Ｃ）である。この図から容易にわかるように、図２（Ｃ）は図２（Ｂ）に比べてＩ成分が除去されてしまうために小さい出力となる。このため従来では、隣接チャネル信号が存在する場合に、有効ビット落ちの影響でＲＡＫＥ受信機の性能が劣化するという問題があった。
【００２５】
本実施形態はこのような不具合を克服するためになされたもので、ＲＲＯＦフィルタ１４−１前後の信号の平均電力を計算し、その計算処理結果に基き係数αを算出し、算出した係数αをＲＲＯＦ出力に乗算することにより、隣接チャネルが存在する場合に、有効ビット落ちの影響でＲＡＫＥ受信機の性能が劣化するのを防止することを意図している。
【００２６】
図１は、本発明の実施形態に係る携帯端末の概略構成を示す図である。本実施形態の動作について図１を用いて詳細に説明する。アンテナ１１から入力された信号はＲＦ部１２でＲＦフィルタによりフィルタリングされて、図２（Ａ）に示すように受信信号のＤ成分＋Ｉ成分が出力される。この信号はＡＤＣ１３−１でＡ／Ｄ変換されて、例えば図２（Ｂ）に示すような８ビットのデジタル信号に変換されてＲＲＯＦフィルタ１４−１に出力される。このＲＲＯＦフィルタ１４−１では受信信号のＩ成分がカットされて図２（Ｃ）に示すような信号が出力される。
【００２７】
なお、図１の受信ＡＧＣ制御部１８は、ＡＤＣ１３−１の出力の平均電力を受信して、通常は図２（Ｂ）に示すＲＲＯＦ前信号が飽和しない大きさでＲＲＯＦフィルタ１４−１に入力されるようにＲＦ部１２を制御する。
【００２８】
係数α計算部１９は、ＲＲＯＦフィルタ１４−１から出力される図２（Ｃ）に示すような信号を受信して係数α（２０）を計算して乗算器２１に出力する。
【００２９】
図４（Ａ）は、この係数α計算部１９の構成を示すブロック図であり、図４（Ｂ）は係数αを計算するのに用いられる計算式を示している。
【００３０】
係数α計算部１９では、Ｉチャネル用の自乗器４１、積分器４２と、Ｑチャネル用の自乗器４３、積分器４４と、加算器４５によりＲＲＯＦ前の信号平均電力Ａを計算する。また、Ｉチャネル用の自乗器４６、積分器４７と、Ｑチャネル用の自乗器４８、積分器４９と、加算器５０によりＲＲＯＦ後の信号平均電力Ｂを計算する。これら平均電力Ａ，Ｂには長い時定数が設定され通常では１００ｍから５００ｍｓｅｃ程度である。
【００３１】
計算部５１では２つの信号平均電力Ａ，Ｂと、調整値Ｃから図４（Ｂ）の計算式を用いて係数αを計算する。調整値Ｃは、α値の経験的な微調整を行なうため分母の調整値として用いられる。通常はＣ＝０と設定される。
【００３２】
図１のＲＲＯＦフィルタ１４−１は、有効ビット落ちを無くすため、小数点ビットを含めた形でＲＲＯＦ出力を乗算器２１に対して出力する。すなわちＲＲＯＦフィルタ１４−１は、係数α計算部１９へはｎビット（例えばｎ＝８ビット）の信号を出力するが、乗算器２１に対してはｍビット（ｍ＝８＋３＝１１ビット、少数分３ビット）の信号を出力する。乗算器２１での演算後、再び有効ビット数をｎビットとする。このように乗算でビットシフトとせず乗算器を適用したことにより有効ビット落ちをきめ細かく制御できる。
【００３３】
なお、上記した説明では受信信号のＩ成分について説明したが、Ｑ成分についても同様の方法が適用でき、係数α計算部１９において係数αを計算し、これを乗算器２２においてＲＲＯＦフィルタ１４−２の出力に乗算すれば同様の効果が得られる。
【００３４】
（第２実施形態）
本発明の第２実施形態は、ハードハンドオフに備えて現在通話している基地局の第１の周波数と異なる第２の周波数の信号をサーチするモードであるコンプレスドモードに適用したことを特徴とする。コンプレスドモードでは図６に示すような現在通話中の基地局受信信号（周波数ｆ１）の受信中に数スロットのＧＡＰ（時間間隔）を空け、このＧＡＰを利用して現在通話中の基地局周波数ｆ１とは異なる周波数ｆ２の基地局をサーチする。
【００３５】
図６に示すように、コンプレスドモードでのサーチ対象の周波数ｆ２に対しても干渉信号が存在し、コンプレスドモード時のＧＡＰにおける周波数ｆ２のサーチ性能を劣化させてしまう。そこで第２実施形態では、当該ＧＡＰ中にＲＲＯＦフィルタの前後の信号を入力し、図１の係数α計算部１９で計算した計算値αを保存しておく。そして、次のコンプレスドモード時のＧＡＰでの周波数サーチでは、この保存した計算値αを復帰して使用する。復帰した直後はこの復帰値を初期値としてＧＡＰ中の平均処理を続ける。
【００３６】
以下に図５を参照して第２実施形態の動作を説明する。図５の［１］の位置は、サーチ周波数がｆ１からｆ２に切り替わる境界であり、それまでの計算結果α１をＲＡＭなどのメモリへ保存しておく。図５の［２］の位置ではシンセサイザが周波数ｆ１からｆ２に切り替わり、ＡＧＣがノーマルとなったところで前回のｆ２サーチで保存した係数α２を復帰する。
【００３７】
ｆ２サーチでは、復帰された係数α２を初期値として係数の演算を続け、図５の［３］の位置では、周波数がｆ２からｆ１に切り替わるため周波数ｆ２用の係数α２を保存する。図５の［４］の位置では、周波数がｆ２からｆ１に切り替るため、［１］の位置で保存した周波数ｆ１用の係数α１を復帰させる。
【００３８】
図７は、コンプレスドモード時の一般的な保存／復帰パラメータに本実施形態の係数αを追加した場合の周波数切替に伴うパラメータの保存／復帰の動作を示している。通常コンプレスドモードでは、係数αのほかに、ＡＦＣデータ、ＡＧＣデータの保存／復帰が行われる。
【００３９】
【発明の効果】
本発明によれば、隣接チャネルに存在する干渉信号の影響を軽減でき、受信性能が良好な無線通信端末及びその制御回路が提供される。
【００４０】
また、本発明によれば、コンプレスドモードにおいて、切り替え前のサーチ周波数用の係数と、切り替え後のサーチ周波数用の係数とをそれぞれ保存、復帰して使用するようにしたので、サーチ性能の劣化を軽減できる無線通信端末及びその制御回路が提供される。
【図面の簡単な説明】
【図１】本発明の実施形態に係る携帯端末の概略構成を示す図である。
【図２】隣接チャネル信号（干渉信号）の影響について説明するための図である。
【図３】従来の携帯端末の概略構成を示す図である。
【図４】（Ａ）は係数αを計算する係数α計算部の構成を示す図であり、（Ｂ）は係数αを計算するのに用いられる計算式を示す図である。
【図５】本発明をコンプレスドモードに適用した第２実施形態の概略を説明するための図である。
【図６】コンプレスドモードでの受信基地局信号の説明図である。
【図７】コンプレスドモードでの保存／復帰パラメータの例を示す図である。
【符号の説明】
１１  アンテナ
１２  ＲＦ部
１３  ＡＤＣ
１４  ルートコサインロールオフフィルタ（ＲＲＯＦ）
１５  フィンガ受信器
１６  ＲＡＫＥ合成部
１７  サーチャ
１８  受信ＡＧＣ制御部
１９  係数α計算部
２１  乗算器
【図１】
0004763908.tif 000002
【図２】
0004763908.tif 000003
【図３】
0004763908.tif 000004
【図４】
0004763908.tif 000005
【図５】
0004763908.tif 000006
【図６】
0004763908.tif 000007
【図７】
0004763908.tif 000008